(57)【要約】  インテリジェント衣類管理装置は、衣類情報入力モジュール、分類モジュールを含み、該衣類情報入力モジュールおよび該分類モジュールは、インテリジェント端末に設置される。該衣類情報入力モジュールは衣類情報を取得し、該分類モジュールは衣類情報入力モジュールが取得した衣類情報に基づいて、取得した衣類情報をカテゴリに追加する。該インテリジェント衣類管理装置はより合理的に衣類を管理することができ、衣類の各種特性により、分類方式の管理を実現する。さらに衣類をインテリジェントにコーディネートする機能を提供し、洗濯プログラムを提案する。より多くの利便性をユーザにもたらした。【選択図】図１
2018509713.tif 000002
【特許請求の範囲】
【請求項１】
インテリジェント衣類管理装置であって、少なくとも衣類情報入力モジュール、分類モジュールを含み、前記衣類情報入力モジュールおよび前記分類モジュールはインテリジェント端末に設置され、前記衣類情報入力モジュールは衣類情報を取得し、前記分類モジュールは衣類情報入力モジュールが取得した衣類情報に基づいて、取得した衣類情報をカテゴリに追加することを特徴とする装置。
【請求項２】
前記衣類情報入力モジュールが衣類情報を取得する方式は、手動による入力、衣類バーコードのスキャン、衣類二次元コードのスキャン、衣類ラベルのスキャン、衣類情報の撮影、認識による入力を含み、このうちの１つの方式を選択することを特徴とする、請求項１に記載のインテリジェント衣類管理装置。
【請求項３】
前記分類モジュールが少なくとも衣類の種類および衣類情報を含み、前記衣類の種類は少なくとも着用部位により分類される種類を含み、前記衣類情報は衣類の番号、衣類の名称、衣類の色を含むことを特徴とする、請求項１に記載のインテリジェント衣類管理装置。
【請求項４】
前記衣類の種類が、衣類の素材により分類される種類をさらに含み、前記衣類の素材による分類は、衣類中に含まれる素材の成分が最も多いものを主成分とすることを特徴とする、請求項３に記載のインテリジェント衣類管理装置。
【請求項５】
前記衣類の種類が、衣類の色により分類される種類をさらに含み、前記衣類の色は単色および多色を含み、前記衣類の色が多色であるとき、衣類中の最も主要な色により分類することを特徴とする、請求項３に記載のインテリジェント衣類管理装置。
【請求項６】
前記衣類の種類が、季節により分類される種類をさらに含み、前記季節による分類が少なくとも夏季、冬季を含むことを特徴とする、請求項３に記載のインテリジェント衣類管理装置。
【請求項７】
洗濯モジュールをさらに含み、前記洗濯モジュールは、前記分類モジュールのカテゴリからカテゴリ中の衣類が選択され、前記選択された衣類に基づいて、好ましい洗濯パラメータを提案するか、または選択した衣類の衣類情報に基づいて、適した衣類の洗濯パラメータを手動で選択すると、洗濯設備と通信接続して洗濯設備をさらに制御し、前記洗濯モジュールはインテリジェント端末に設置されることを特徴とする、請求項１に記載のインテリジェント衣類管理装置。
【請求項８】
インテリジェントコーディネートモジュールをさらに含み、前記インテリジェントコーディネートモジュールは、選択された場面および／または当日の天気に基づいて衣類を提案し、ならびに／あるいはユーザが衣類モジュールから選択したメインの衣類に基づいて、メインの衣類とコーディネートする衣類を提案し、前記インテリジェントコーディネートモジュールはインテリジェント端末に設置されることを特徴とする、請求項１に記載のインテリジェント衣類管理装置。
【請求項９】
廃棄かごをさらに含み、前記廃棄かごは前記分類モジュールのカテゴリ中の衣類を削除するのに用いられ、前記廃棄かごはインテリジェント端末に位置することを特徴とする、請求項１に記載のインテリジェント衣類管理装置。
【請求項１０】
前記衣類情報が衣類の素材、柄、購入時間、洗濯時間、衣類のケア方法をさらに含むことを特徴とする、請求項３に記載のインテリジェント衣類管理装置。
【請求項１１】
前記インテリジェントコーディネートモジュールが、ユーザのメインの衣類に基づいて、インターネットからメインの衣類とコーディネートする衣類を提案することをさらに含み、さらにアドレスがリンク付けされ、クリックして購入することができることを特徴とする、請求項８に記載のインテリジェント衣類管理装置。
【発明の詳細な説明】
【技術分野】
【０００１】
本発明は衣類管理の技術分野に関し、特にインテリジェント衣類管理装置である。
【背景技術】
【０００２】
生活リズムが速くなり、社会が発展し続け、物質的な生活レベルが上昇し続けるのに伴い、人々が着ている服装の種類および数も増加し続けている。家庭において、次第に多くの人が時間を節約し、同時に自分の衣類を管理し、できる限り衣類が見つからないことがないことを望んでいる。さらに、衣類が多すぎると、どんな衣類があるかを忘れ、購入しても使用したことがない、着たことがない衣類が多くなり、さらには新しく買った衣類と、元々ある衣類とが重複する可能性もあるなど、意味のない浪費となる。さらに様々な場面、様々な季節に合わせるため、衣類が多くなり、どのようにコーディネートするかすぐにはわからないこともある。
【発明の概要】
【発明が解決しようとする課題】
【０００３】
本発明が解決しようとする問題は、既存技術の不足を克服することであり、インテリジェント衣類管理装置を提供することにより、ユーザの衣類管理におけるインテリジェント化を高める。該装置はより合理的に衣類を管理することができ、衣類の各種特性により、分類方式の管理を実現する。さらに衣類をインテリジェントにコーディネートする機能を提供し、洗濯プログラムを提案する。より多くの利便性をユーザにもたらし、ユーザの生活に寄り添い、生活の質を高める。
【課題を解決するための手段】
【０００４】
本発明は、インテリジェント衣類管理装置を提供する。少なくとも衣類情報入力モジュール、分類モジュールを含み、前記衣類情報入力モジュールおよび前記分類モジュールは、インテリジェント端末に設置される。前記衣類情報入力モジュールは衣類情報を取得し、前記分類モジュールは衣類情報入力モジュールが取得した衣類情報に基づいて、取得した衣類情報をカテゴリに追加する。
【０００５】
好ましくは、前記衣類情報入力モジュールが衣類情報を取得する方式は、手動による入力、衣類バーコードのスキャン、衣類二次元コードのスキャン、衣類ラベルのスキャン、衣類情報の撮影、認識による入力を含み、このうちの１つの方式を選択する。
【０００６】
好ましくは、前記分類モジュールは少なくとも衣類の種類および衣類情報を含む。前記衣類の種類は、少なくとも着用部位により分類される種類を含み、前記衣類情報は衣類の番号、衣類の名称、衣類の色を含む。
【０００７】
好ましくは、前記衣類の種類は、衣類の素材により分類される種類をさらに含む。前記衣類の素材による分類は、衣類中に含まれる素材の成分が最も多いものを主成分とする。
【０００８】
好ましくは、前記衣類の種類は、衣類の色により分類される種類をさらに含む。前記衣類の色は単色および多色を含み、前記衣類の色が多色であるとき、衣類中の最も主要な色により分類する。
【０００９】
好ましくは、前記衣類の種類は、季節により分類される種類をさらに含む。前記季節による分類は、少なくとも夏季、冬季を含む。
【００１０】
好ましくは、洗濯モジュールをさらに含む。前記洗濯モジュールは、前記分類モジュールのカテゴリからカテゴリ中の衣類が選択され、前記選択された衣類に基づいて、好ましい洗濯パラメータを提案する。または選択した衣類の衣類情報に基づいて、適した衣類の洗濯パラメータを手動で選択すると、洗濯設備と通信接続して、洗濯設備をさらに制御する。前記洗濯モジュールは、インテリジェント端末に設置される。
【００１１】
好ましくは、インテリジェントコーディネートモジュールをさらに含む。前記インテリジェントコーディネートモジュールは、選択された場面および／または当日の天気に基づいて衣類を提案する。および／またはユーザが衣類モジュールから選択したメインの衣類に基づいて、メインの衣類とコーディネートする衣類を提案する。前記インテリジェントコーディネートモジュールは、インテリジェント端末に設置される。
【００１２】
好ましくは、廃棄かごをさらに含む。前記廃棄かごは、前記分類モジュールのカテゴリ中の衣類を削除するのに用いられる。前記廃棄かごは、インテリジェント端末に位置する。
【００１３】
好ましくは、前記衣類情報は衣類の素材、柄、購入時間、洗濯時間、衣類のケア方法をさらに含む。
【００１４】
好ましくは、前記インテリジェントコーディネートモジュールは、ユーザのメインの衣類に基づいて、インターネットからメインの衣類とコーディネートする衣類を提案することをさらに含む。さらにアドレスがリンク付けされ、クリックして購入することができる。
【００１５】
本発明の案を使用すると、衣類を管理して便利になるだけでなく、該装置は、様々な天気および様々な場面に基づいて、ユーザに衣類をインテリジェントにコーディネートする機能を提供することもできる。ユーザは、該装置に保存された衣類のうちの１着を先に選択することもでき、該装置はユーザのメインの衣類に基づいて、ユーザにこれとコーディネートする衣類を提案し、ユーザに選択させることができる。さらに、該装置は洗濯管理機能も含み、ユーザが選択したカテゴリ中の衣類に基づいて、さらに分析処理を行い、より適した洗濯プログラムを提案する。
【図面の簡単な説明】
【００１６】
【図１】図１は、本発明の実施例におけるインテリジェント衣類管理装置のメインメニューページに表示される構造ブロック図である。
【図２】図２は、本発明の実施例における分類モジュールのメニューページに表示される構造ブロック図である。
【図３】図３は、本発明の実施例において、選択された衣類に基づき洗濯プログラムを提案するフローチャートである。
【発明を実施するための形態】
【００１７】
人々の生活レベルが上昇し続け、衣類の数量および種類も増加し続けるのに伴い、必然的に衣類を管理することも、人々の生活において重要となっている。このため、本発明が示すインテリジェント衣類管理装置は、衣類管理の実用性および利便性をより上昇させ、ユーザはいつでもすべての衣類の詳細な情報を見ることができる。さらにユーザが新しく衣類を購入したとき、新しく購入した衣類の関連情報を該装置に入力することができる。ユーザが捨てようとしている衣類は、同時に該装置で削除することもでき、衣類管理のインテリジェント化を高めた。
【００１８】
以下、図および具体的な実施方式を組み合わせて、本発明についてさらに記載する。
【００１９】
図１に示すように、本発明はインテリジェント衣類管理装置を提供する。前記衣類管理装置は少なくとも衣類情報入力モジュール、分類モジュールを含み、前記衣類管理装置はインテリジェント端末に設置される。前記衣類情報入力モジュールが衣類情報を取得する方式は、手動による入力、衣類バーコードのスキャン、衣類二次元コードのスキャン、衣類ラベルのスキャン、衣類情報の撮影、認識による入力を含み、このうちの１つの方式を選択する。前記衣類情報入力モジュールは衣類情報を取得し、衣類を新しく購入したときに衣類情報を取得することを含む。前記分類モジュールは、衣類情報入力モジュールが取得した衣類情報に基づいて、取得した衣類情報をカテゴリに追加する。前記分類モジュールは少なくとも衣類の種類および衣類情報を含み、前記衣類の種類は少なくとも着用部位により分類される種類を含み、前記衣類情報は衣類の素材、衣類の色、衣類の名称、番号、柄、購入時間、洗濯時間を含む。前記衣類の種類は衣類の素材により分類される種類をさらに含み、前記衣類の素材による分類は、衣類中に含まれる素材の成分が最も多いものを主成分とする。前記衣類の種類は衣類の色により分類される種類をさらに含み、前記衣類の色は単色および多色を含む。前記衣類の色が多色であるとき、衣類中の最も主要な色により分類する。前記衣類の種類は、季節により分類される種類をさらに含み、前記季節による分類は少なくとも夏季、冬季を含む。
【００２０】
前記衣類管理装置はさらに洗濯モジュール、インテリジェントコーディネートモジュール、廃棄かごを含む。前記洗濯モジュールは、前記分類モジュールのカテゴリからカテゴリ中の衣類が選択され、選択された衣類に基づいて、好ましい洗濯パラメータを提案する。または選択した衣類の衣類情報に基づいて、適した衣類の洗濯パラメータを手動で選択すると、洗濯設備と通信接続して、洗濯設備をさらに制御する。前記インテリジェントコーディネートモジュールは、選択された場面および／または選択された季節および／または当日の天気に基づいて衣類を提案する。および／または、ユーザのメインの衣類に基づいて、メインの衣類とコーディネートする衣類を提案する。前記インテリジェントコーディネートモジュールは、ユーザのメインの衣類に基づいて、インターネットからメインの衣類とコーディネートする衣類を提案することをさらに含む。さらにアドレスがリンク付けされ、クリックして購入することができる。前記廃棄かごは、前記分類モジュールのカテゴリ中の衣類を削除するのに用いられる。
【００２１】
本実施例において、衣類情報を取得する方式が手動による入力であるとき、該装置に表示される操作ページにより、対応する項目に衣類の情報を入力する。この方式で取得した情報は比較的遅く、表示された内容に基づいて、対応する情報を手動で入力する必要があるが、比較的融通が利き、ユーザは習慣に基づいて必要な情報を入力することができる。少なくとも衣類の番号を入力するが、その他はすべての情報を記入する必要はない。さらに、新しく購入した衣類でなく、衣類情報が保存された衣類ラベルなどが欠けているとき、手動による入力方式を採用するのがより適している。衣類情報を取得する方式が、衣類バーコードのスキャンまたは衣類二次元コードのスキャンまたは衣類ラベルのスキャンまたは衣類情報の撮影、認識による入力であるとき、上記３種のスキャン方式の認識デバイスとして、該装置が設置された端末のスキャン機能（カメラを含む）を使用して、衣類のバーコードまたは二次元コードまたはラベルの情報を集めることができる。さらに前記衣類のバーコードまたは二次元コードまたはラベルに衣類の名称、衣類の色、衣類の素材の成分、洗濯の説明などの基本情報が保存される。バーコードまたは二次元コードまたはラベルの使用は便利であり、保存された情報の容量は多く、ユーザはスキャンすることにより相応する情報を得ることができる。システムが情報を集めると、システムは衣類の番号の編集ボックスを自動でポップアップする。このうち衣類の番号はアルファベット、数字のうちの１つまたはその組合せからなり、さらに衣類の番号はシステムが自動で作成するか、または手作業で修正することができる。各衣類の番号は唯一であり、手作業で修正するとき、これより前の番号と重複する場合、システムにより通知がポップアップされる。ユーザは需要に基づいて、衣類の柄、購入時間、洗濯時間などを含む、その他の衣類情報をさらに補足することができる。
【００２２】
上記のいずれか１種の方式で衣類情報を取得した後、取得した衣類情報をカテゴリ中に追加するとき、該衣類情報を各カテゴリ中に追加する。つまり各カテゴリは該衣類の関連情報を有するが、各カテゴリの形式に基づいて相応する情報が保存される。図２に示すのは、分類モジュールのメニューページに表示される構造ブロック図である。着用部位による分類の種類は、上着、ズボン、スカート、靴、下着、靴下、その他などを含む。衣類の素材により分類するとき、衣類中に含まれる素材の成分が最も多いものを主要な素材とし、綿、麻、絹、毛およびその他などを含む。衣類の色により分類するとき、衣類中の最も主要な色で分類し、黒、白、グレー、赤、オレンジ、黄、緑、青緑、青、紫を含む。季節により分類するとき、四季の春夏秋冬で分類する。
【００２３】
例えば、少なくとも冬用の上着、赤色、綿９０％の情報を有する新しい衣服を１着買ったとき、システムは情報を集めると、衣類の番号の編集ボックスを自動でポップアップする。ユーザは需要に基づいて、システムが自動で作成した衣類の番号を採用するか、または手作業で修正することができる。さらに該衣服を着用部位によるカテゴリ中の上着類、衣類の素材によるカテゴリ中の綿類、衣類の色によるカテゴリ中の赤色類、および季節によるカテゴリ中の冬季類にそれぞれ追加し、各カテゴリ中で該衣類の番号が順次入力される。ユーザは需要に基づいて、その他の衣類の情報をさらに補足することができる。保存される情報量は比較的大きいが、管理はより便利である。ユーザが各カテゴリ中の衣類を見るとき、需要に基づいて見ることができる。各カテゴリ中の小分類でさらに相応する数量を集計し、集計した数量に基づいて、該小分類にどれだけの衣類が含まれているかを一目で知ることができる。
【００２４】
特に、ユーザが捨てようとする衣類を該装置から同時に削除することもでき、該装置は廃棄かごも含む。ユーザは削除しようとする衣類を該廃棄かごまでドラッグすれば、該衣類を装置中で削除することができる。ユーザは該衣類が属するいずれか１つのカテゴリ中で削除すればよく、つまり各属するカテゴリでいちいち削除する必要はない。属するいずれか１つのカテゴリで削除すれば、該衣類を装置から完全に削除することができる。各衣類の番号は唯一であるため、衣類を削除したとき、システムは該衣類の番号が属するカテゴリから自動で削除する。このように、衣類管理はよりインテリジェント化され、ユーザの操作が便利である。
【００２５】
該装置は、さらにインテリジェントコーディネート機能を提供する。該機能は装置中に保存された衣類に基づいて、ユーザにコーディネートを提供することができる。ユーザが該機能を選択するとき、システムは天気および季節、気候に基づいて、ユーザに衣類を提案する。ユーザが出席する場面を選択すると、システムが適した衣類を自動で提案することもでき、選択することができる場面はレジャー、パーティ、仕事、娯楽を含む。または、ユーザは出席する場面を選択した後、１着の衣類をメインの衣類として選択することもでき、システムはメインの衣類に基づいて、ユーザにメインの衣類とコーディネートするその他の衣類を提案する。ユーザが特別な場面に出席するとき、非常に多くの衣類の中からどのように選択してコーディネートするかわからない場合、該機能はユーザのよい助手となり、ユーザにインテリジェントなコーディネートを提供することができる。さらに、インテリジェントコーディネート機能は、ユーザのメインの衣類に基づいて、インターネットからメインの衣類とコーディネートする衣類を提案することをさらに含む。さらにアドレスがリンク付けされ、クリックして購入することができる。装置中に保存された衣類は限りがあるため、ユーザが特に重要な場面に出席する必要があるとき、すでにある衣類からコーディネートするのに適した衣類がすぐに見つからない場合、インターネットの大量の衣類データベースから、より多くのデザインの、コーディネートするのに適した衣類を迅速に提案することができる。
【００２６】
さらに、該装置は洗濯機能も含む。該洗濯機能はユーザが選択した衣類に基づいて、システムが洗濯パラメータを自動で提案する。または選択した衣類の衣類情報に基づいて、適した衣類の洗濯パラメータを手動で選択すると、洗濯設備と通信接続して、洗濯設備をさらに制御する。該装置にはすでに大量の実験データが保存され、衣類の衣類情報と、１種の衣類および／または１種以上の衣類の組合せに対応する洗濯パラメータとが保存されている。各種衣類、数種の素材、数種の色に基づいて、混ぜて洗濯するとき、最適な洗濯パラメータを提案する。表１を参照されたい。表には一部の衣類に対応する洗濯パラメータを示しており、各衣類の素材など、特性に対応する様々な洗濯パラメータである。洗濯パラメータは洗剤、柔軟剤の容量、浸漬時間、洗濯時間、洗濯温度、脱水時間、回転速度などを含む。ユーザは通常の衣類のケア習慣に基づいて、選択した衣類により洗濯パラメータを手動で選択することもできる。
【００２７】
表１  衣類に対応する洗濯パラメータ
【００２８】
【表１】
2018509713.tif 000003
【００２９】
以下、該装置の洗濯機能の一般的な工程をさらに記載する。図３に示すように、以下の工程を含む。
【００３０】
（１）該装置に表示されるメインメニューのインターフェイスで洗濯機能モジュールを選択し、分類モジュールのカテゴリに進み、カテゴリ中から１着目の衣類を選択して、すでに選択した衣類とする。
【００３１】
（２）引き続き、表示されるカテゴリ中で次の１着を選択する。システムは、すでに選択した衣類と、工程（２）で選択した衣類とに基づいて、混ぜて洗濯するのに適しているかどうかをさらに判断する。混ぜて洗濯するのに適さない場合、システムがユーザに通知し、ユーザは通知に基づいて、今回選択した衣類を取り消すかどうかを手動で選択し、工程（３）を実行する。そうでなければ、工程（３）を実行する。
【００３２】
選択した次の衣類と、これより前にすでに選択した衣類とが同じカテゴリであるとき、該回に衣類を選択すると、衣類の選択を終了する。さらに、すべてのすでに選択した衣類の色が混ぜて洗濯するのに適した状況では、システムは該カテゴリの洗濯パラメータを直接提案する。表１に示す衣類の洗濯パラメータの対照表を参照すると、例えばすでに選択した衣類がデニムジャケット１着であり、次の１着にジーンズを選択した場合、システムが提案する洗濯パラメータは、少なくともすすぎ回数２回、脱水時間３分間、温度設定３０℃、洗濯時間１５分間である。
【００３３】
選択した次の衣類と、これより前にすでに選択した衣類とが同じカテゴリでないとき、システムはユーザが選択した衣類の素材と、選択した衣類の色とが混ぜて洗濯するのに適しているかどうかを判断する。例えば下着はその他の衣類と混ぜて洗濯するのに適さない、色の薄い衣類は色の濃い衣類と混ぜて洗濯するのに適さないなどである。混ぜて洗濯するのに適さない場合、システムが通知し、ユーザは通知に基づいて、混ぜて洗濯するかどうかを自分で決定することができる。該機能は、ユーザが異なる素材および異なる色の衣類を選択して洗濯するとき、分析処理により、ユーザに最も適した洗濯プログラムを自動で提案する。これにより各種の衣類を混ぜて洗濯するとき、損傷、変形しにくく、さらには衣類が退色するとき、相互に染まらない。ユーザに最も良好なケア案を提供し、より多くの利便性をもたらす。
【００３４】
（３）システムはすでに選択した衣類の総重量が、規定の洗濯重量より小さいかどうかを分析する。そうでない場合、システムがユーザに通知し、ユーザは通知に基づいて、衣類の選択を終了するかどうかを選択することができる。規定の洗濯重量より小さい場合、ユーザは必要に基づいて衣類の選択を終了するかどうかを選択する。衣類の選択を終了する場合、工程（４）を実行し、そうでなければ工程（２）を実行する。
【００３５】
システムはすべての衣類に対応する質量を、すでに該システム中に設定している。ユーザがすでに選択した衣類の累計重量に基づいて、すでに選択した衣類の総重量を得ることができ、さらに規定の洗濯重量と比較し、判断する。
【００３６】
（４）システムはすでに選択した衣類に基づいてインテリジェント計算を起動し、さらに衣類の名称に基づいてデータベースを検索し、洗濯パラメータを取得する。洗濯パラメータは、洗濯時間、洗濯温度、すすぎ回数、脱水時間、脱水の回転速度を含む。さらに付加機能の乾燥、洗剤、柔軟剤の１つまたはその組合せを選択する。
【００３７】
（５）スタートをクリックすると、システムは洗濯パラメータをインテリジェント洗濯機に送信し、相応の操作を実行する。
【００３８】
本発明の案を使用すると、衣類を管理して便利になるだけでなく、該装置は、様々な天気および様々な場面に基づいて、ユーザに衣類をインテリジェントにコーディネートする機能を提供することもできる。さらに、該装置は洗濯管理機能も含み、ユーザが選択したカテゴリ中の衣類に基づいて、さらに分析処理を行い、より適した洗濯プログラムを提案する。
【００３９】
上記実施例中の実施案はさらに組み合わせるか、または置換することができ、さらに実施例は本発明の好ましい実施例を記載したに過ぎず、本発明の構想および範囲を限定しない。本発明の設計の発想を逸脱しない前提の下、当業者が本発明の技術案に対して行う各種の変更および改良は、いずれも本発明の保護範囲に属する。
【図１】
2018509713.tif 000004
【図２】
2018509713.tif 000005
【図３】
2018509713.tif 000006
【国際調査報告】
2018509713.tif 000007
2018509713.tif 000008
2018509713.tif 000009
2018509713.tif 000010